【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】決済方法、決済用情報処理システム及び移動情報端末
【手続補正２】
【補正対象書類名】明細書
【補正対象項目名】特許請求の範囲
【補正方法】変更
【補正の内容】
【特許請求の範囲】
【請求項１】
利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行う決済方法であって、
該移動情報端末が、該商品又は該サービスの料金に関する料金情報と、該第１の通貨単位と該第２の通貨単位との間における現在の為替レートに関する情報とに基づいて、該第２の通貨単位の該料金を該第１の通貨単位に換算した料金のデータを演算して出力するステップと、
該移動情報端末が、該料金情報を通信回線を介して該決済支援機関の決済支援システムに送信するステップと、
該決済支援システムが、該移動情報端末から受信した該料金情報に基づいて、該決済支援機関から該店舗への該商品又は該サービスの料金の支払いについて該第２の通貨単位での決済を処理するステップと、
該決済支援システムが、該店舗と該決済支援機関との間の決済が完了したことを通知する決済通知情報を通信回線を介して該移動情報端末に送信するステップと、
該店舗と該決済支援機関との間の決済が完了した後、該決済支援システムが、該移動情報端末から受信した該料金情報に基づいて、該利用者から該決済支援機関への該商品又は該サービスの料金の支払いについて該第１の通貨単位での決済を処理するステップとを実行することを特徴とする決済方法。
【請求項２】
利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行う決済方法であって、
該移動情報端末が、該商品又は該サービスの料金に関する料金情報を通信回線を介して該決済支援機関の決済支援システムに送信するステップと、
該決済支援システムが、該移動情報端末から受信した該料金情報と、該第１の通貨単位と該第２の通貨単位との間における現在の為替レートに関する情報とに基づいて、該第２の通貨単位の該料金を該第１の通貨単位に換算した料金のデータを演算するステップと、
該決済支援システムが、該第１の通貨単位に換算した料金のデータを通信回線を介して該移動情報端末に送信するステップと、
該移動情報端末が、該第１の通貨単位に換算した料金のデータを出力するステップと、
該決済支援システムが、該移動情報端末から受信した該料金情報に基づいて、該決済支援機関から該店舗への該商品又は該サービスの料金の支払いについて該第２の通貨単位での決済を処理するステップと、
該決済支援機関が、該店舗と該決済支援機関との間の決済が完了したことを通知する決済通知情報を通信回線を介して該移動情報端末に送信するステップと、
該店舗と該決済支援機関との間の決済が完了した後、該決済支援システムが、該移動情報端末から受信した該料金情報に基づいて、該利用者から該決済支援機関への該商品又は該サービスの料金の支払いについて該第１の通貨単位での決済を処理するステップとを実行することを特徴とする決済方法。
【請求項３】
請求項１又は２の決済方法において、
上記料金の換算に用いる料金情報は、上記移動情報端末が上記店舗の料金支払受付装置から受信したものであることを特徴とする決済方法。
【請求項４】
請求項１乃至３のいずれかの決済方法において、
上記決済支援機関が、該利用者が所有する移動情報端末による通信を管理運営し、上記利用者及び上記店舗との間で予め交わされた取引契約情報を有することを特徴とする決済方法。
【請求項５】
請求項１乃至４のいずれかの決済方法において、
上記決済支援システムが、利用者の認証に用いる本人確認情報を有し、
上記移動情報端末が、利用者の認証に用いる本人確認情報を通信回線を介して上記決済支援システムに送信するステップと、
上記第２の通貨単位による決済の前に、該決済支援システムが、該決済支援機関が有する本人確認情報と該移動情報端末から受信した本人確認情報とに基づいて、該移動情報端末の利用者が本人であるか否かの認証を行うステップとを有することを特徴とする決済方法。
【請求項６】
利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行うときに用いる決済用情報処理システムであって、
該利用者及び該店舗との間で予め交わされた取引契約情報を記憶する情報記憶手段と、
該利用者の移動情報端末から通信回線を介して、該商品又は該サービスの料金に関する料金情報を受信する情報受信手段と、
該店舗との間で予め交わされた該取引契約情報と該移動情報端末から受信した該料金情報とに基づいて、該店舗に対する該商品又は該サービスの料金の支払いについて該第２の通貨単位での決済を処理する店舗決済処理手段と、
該移動情報端末に通信回線を介して、該店舗に対する決済が完了したことを通知する決済通知情報を送信する情報送信手段と、
該店舗に対する決済が完了した後、該利用者との間で予め交わされた該取引契約情報と該移動情報端末から受信した該料金情報とに基づいて、該利用者からの該商品又は該サービスの料金の支払いについて該第１の通貨単位での決済を処理する利用者決済処理手段とを有することを特徴とする決済用情報処理システム。
【請求項７】
利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行うときに用いる決済用情報処理システムであって、
該利用者及び該店舗との間で予め交わされた取引契約情報と、該第１の通貨単位と該第２の通貨単位との間における現在の為替レートに関する情報とを記憶する情報記憶手段と、
該商品又は該サービスの料金に関する料金情報を通信回線を介して該利用者の移動情報端末から受信する料金情報受信手段と、
該移動情報端末から受信した該料金情報と、該情報記憶手段に記憶した該為替レートに関する情報とに基づいて、該第２の通貨単位の該料金を該第１の通貨単位に換算した料金のデータを演算する料金データ演算手段と、
該第１の通貨単位に換算した料金のデータを通信回線を介して該移動情報端末に送信する料金データ送信手段と、
該情報記憶手段に記憶した該取引契約情報と該移動情報端末から受信した該料金情報とに基づいて、該店舗に対する該商品又は該サービスの料金の支払いについて該第２の通貨単位での決済を処理する店舗決済処理手段と、
該店舗に対する決済が完了したことを通知する決済通知情報を通信回線を介して該移動情報端末に送信する決済通知情報送信手段と、
該店舗に対する決済が完了した後、該情報記憶手段に記憶した該取引契約情報と該移動情報端末から受信した該料金情報とに基づいて、該利用者からの該商品又は該サービスの料金の支払いについて該第１の通貨単位での決済を処理する利用者決済処理手段とを有することを特徴とする決済用情報処理システム。
【請求項８】
請求項６又は７の決済用情報処理システムにおいて、
上記情報記憶手段が、上記取引契約情報とともに、上記利用者の認証に用いる本人確認情報を記憶したものであり、
上記情報受信手段が、上記料金情報とともに、上記移動情報端末から本人確認情報を受信するものであり、
上記店舗決済処理手段が、上記決済処理に先立って、該情報記憶手段に記憶されている本人確認情報と、該情報受信手段で該移動情報端末から受信した本人確認情報とに基づいて、該利用者が本人であるか否かの認証を行うものであることを特徴とする決済用情報処理システム。
【請求項９】
利用者が通常の生活で使用している第１の通貨単位とは異なる第２の通貨単位で商品の販売又はサービスの提供を行っている店舗において、該利用者が購入した商品又は該利用者が受けたサービスに対する料金の支払いについて、決済支援機関を介した決済を行うときに用いる移動情報端末であって、
該第１の通貨単位と該第２の通貨単位との間における現在の為替レートに関する情報を記憶する情報記憶手段と、
該情報記憶手段に記憶した該為替レートに関する情報と、該商品又は該サービスの料金に関する料金情報とに基づいて、該第２の通貨単位の該料金を該第１の通貨単位に換算した料金のデータを演算する料金データ演算手段と、
該料金データ演算手段の演算結果に基づいて、該第１の通貨単位に換算した料金のデータを出力する料金出力手段と、
通信回線を介して該決済支援機関の決済支援システムに該料金情報を送信する料金情報送信手段と、
該店舗と該決済支援システムとの間の決済が完了したことを通知する決済通知情報を通信回線を介して該決済支援システムから受信する決済通知情報受信手段とを有することを特徴とする移動情報端末。
【請求項１０】
利用者が通常の生活で使用している第１の通貨単位とは異なる第２の通貨単位で商品の販売又はサービスの提供を行っている店舗において、該利用者が購入した商品又は該利用者が受けたサービスに対する料金の支払いについて、決済支援機関を介した決済を行うときに用いる移動情報端末であって、
該商品又は該サービスの料金に関する料金情報を通信回線を介して該決済支援機関の決済支援システムに送信する料金情報送信手段と、
該第１の通貨単位と該第２の通貨単位との間における現在の為替レートに関する情報に基づいて該第２の通貨単位の該料金を該第１の通貨単位に換算した料金のデータを、通信回線を介して該決済支援システムから受信する料金データ受信手段と、
該第１の通貨単位に換算した料金のデータを出力する料金出力手段と、
該店舗と該決済支援機関との間の決済が完了したことを通知する決済通知情報を通信回線を介して該決済支援システムから受信する決済通知情報受信手段とを有することを特徴とする移動情報端末。
【請求項１１】
請求項９又は１０の移動情報端末において、
上記商品又は該サービスの料金に関する料金情報を上記店舗の料金支払受付装置から受信する料金情報受信手段を有することを特徴とする移動情報端末。
【手続補正３】
【補正対象書類名】明細書
【補正対象項目名】０００１
【補正方法】変更
【補正の内容】
【０００１】
【発明の属する技術分野】
本発明は、利用者が通常の生活で使用している第１の通貨単位とは異なる第２の通貨単位で商品の販売又はサービスの提供を行っている店舗において利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行う決済方法、決済用情報処理方法、決済用情報処理システム及び移動情報端末に関するものである。
【手続補正４】
【補正対象書類名】明細書
【補正対象項目名】０００６
【補正方法】変更
【補正の内容】
【０００６】
本発明は以上の問題点に鑑みなされたものであり、その目的は、利用者が通常の生活で使用する第１の通貨単位とは異なる第２の通貨単位を使用する店舗においても、商品やサービスに対する料金を通常の生活で慣れ親しんでいる第１の通貨単位で確認し且つ為替リスクを回避して支払うことができ、店舗にとってはクレジットカードで支払いを受けた場合に比して売り上げた料金をより速やかに且つ店舗が使用する第２の通貨単位で回収することが可能となる決済方法、決済用情報処理方法、決済用情報処理システム及び移動情報端末を提供することである。
【手続補正５】
【補正対象書類名】明細書
【補正対象項目名】０００７
【補正方法】変更
【補正の内容】
【０００７】
【課題を解決するための手段】
上記目的を達成するために、請求項１の発明は、利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行う決済方法であって、該移動情報端末が、該商品又は該サービスの料金に関する料金情報と、該第１の通貨単位と該第２の通貨単位との間における現在の為替レートに関する情報とに基づいて、該第２の通貨単位の該料金を該第１の通貨単位に換算した料金のデータを演算して出力するステップと、該移動情報端末が、該料金情報を通信回線を介して該決済支援機関の決済支援システムに送信するステップと、該決済支援システムが、該移動情報端末から受信した該料金情報に基づいて、該決済支援機関から該店舗への該商品又は該サービスの料金の支払いについて該第２の通貨単位での決済を処理するステップと、該決済支援システムが、該店舗と該決済支援機関との間の決済が完了したことを通知する決済通知情報を通信回線を介して該移動情報端末に送信するステップと、該店舗と該決済支援機関との間の決済が完了した後、該決済支援システムが、該移動情報端末から受信した該料金情報に基づいて、該利用者から該決済支援機関への該商品又は該サービスの料金の支払いについて該第１の通貨単位での決済を処理するステップとを実行することを特徴とするものである。
【手続補正６】
【補正対象書類名】明細書
【補正対象項目名】０００８
【補正方法】変更
【補正の内容】
【０００８】
請求項２の発明は、利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行う決済方法であって、該移動情報端末が、該商品又は該サービスの料金に関する料金情報を通信回線を介して該決済支援機関の決済支援システムに送信するステップと、該決済支援システムが、該移動情報端末から受信した該料金情報と、該第１の通貨単位と該第２の通貨単位との間における現在の為替レートに関する情報とに基づいて、該第２の通貨単位の該料金を該第１の通貨単位に換算した料金のデータを演算するステップと、該決済支援システムが、該第１の通貨単位に換算した料金のデータを通信回線を介して該移動情報端末に送信するステップと、該移動情報端末が、該第１の通貨単位に換算した料金のデータを出力するステップと、該決済支援システムが、該移動情報端末から受信した該料金情報に基づいて、該決済支援機関から該店舗への該商品又は該サービスの料金の支払いについて該第２の通貨単位での決済を処理するステップと、該決済支援機関が、該店舗と該決済支援機関との間の決済が完了したことを通知する決済通知情報を通信回線を介して該移動情報端末に送信するステップと、該店舗と該決済支援機関との間の決済が完了した後、該決済支援システムが、該移動情報端末から受信した該料金情報に基づいて、該利用者から該決済支援機関への該商品又は該サービスの料金の支払いについて該第１の通貨単位での決済を処理するステップとを実行することを特徴とするものである。
また、請求項３の発明は、請求項１又は２の決済方法において、上記料金の換算に用いる料金情報は、上記移動情報端末が上記店舗の料金支払受付装置から受信したものであることを特徴とするものである。
また、請求項４の発明は、請求項１乃至３のいずれかの決済方法において、上記決済支援機関が、該利用者が所有する移動情報端末による通信を管理運営し、上記利用者及び上記店舗との間で予め交わされた取引契約情報を有することを特徴とするものである。
また、請求項５の発明は、請求項１乃至４のいずれかの決済方法において、上記決済支援システムが、利用者の認証に用いる本人確認情報を有し、上記移動情報端末が、利用者の認証に用いる本人確認情報を通信回線を介して上記決済支援システムに送信するステップと、上記第２の通貨単位による決済の前に、該決済支援システムが、該決済支援機関が有する本人確認情報と該移動情報端末から受信した本人確認情報とに基づいて、該移動情報端末の利用者が本人であるか否かの認証を行うステップとを有することを特徴とするものである。
【手続補正７】
【補正対象書類名】明細書
【補正対象項目名】０００９
【補正方法】変更
【補正の内容】
【０００９】
また、請求項６の発明は、利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行うときに用いる決済用情報処理システムであって、該利用者及び該店舗との間で予め交わされた取引契約情報を記憶する情報記憶手段と、該利用者の移動情報端末から通信回線を介して、該商品又は該サービスの料金に関する料金情報を受信する情報受信手段と、該店舗との間で予め交わされた該取引契約情報と該移動情報端末から受信した該料金情報とに基づいて、該店舗に対する該商品又は該サービスの料金の支払いについて該第２の通貨単位での決済を処理する店舗決済処理手段と、該移動情報端末に通信回線を介して、該店舗に対する決済が完了したことを通知する決済通知情報を送信する情報送信手段と、該店舗に対する決済が完了した後、該利用者との間で予め交わされた該取引契約情報と該移動情報端末から受信した該料金情報とに基づいて、該利用者からの該商品又は該サービスの料金の支払いについて該第１の通貨単位での決済を処理する利用者決済処理手段とを有することを特徴とするものである。
【手続補正８】
【補正対象書類名】明細書
【補正対象項目名】００１０
【補正方法】変更
【補正の内容】
【００１０】
請求項７の発明は、利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行うときに用いる決済用情報処理システムであって、該利用者及び該店舗との間で予め交わされた取引契約情報と、該第１の通貨単位と該第２の通貨単位との間における現在の為替レートに関する情報とを記憶する情報記憶手段と、該商品又は該サービスの料金に関する料金情報を通信回線を介して該利用者の移動情報端末から受信する料金情報受信手段と、該移動情報端末から受信した該料金情報と、該情報記憶手段に記憶した該為替レートに関する情報とに基づいて、該第２の通貨単位の該料金を該第１の通貨単位に換算した料金のデータを演算する料金データ演算手段と、該第１の通貨単位に換算した料金のデータを通信回線を介して該移動情報端末に送信する料金データ送信手段と、該情報記憶手段に記憶した該取引契約情報と該移動情報端末から受信した該料金情報とに基づいて、該店舗に対する該商品又は該サービスの料金の支払いについて該第２の通貨単位での決済を処理する店舗決済処理手段と、該店舗に対する決済が完了したことを通知する決済通知情報を通信回線を介して該移動情報端末に送信する決済通知情報送信手段と、該店舗に対する決済が完了した後、該情報記憶手段に記憶した該取引契約情報と該移動情報端末から受信した該料金情報とに基づいて、該利用者からの該商品又は該サービスの料金の支払いについて該第１の通貨単位での決済を処理する利用者決済処理手段とを有することを特徴とするものである。
【手続補正９】
【補正対象書類名】明細書
【補正対象項目名】００１１
【補正方法】変更
【補正の内容】
【００１１】
また、請求項９の発明は、利用者が通常の生活で使用している第１の通貨単位とは異なる第２の通貨単位で商品の販売又はサービスの提供を行っている店舗において、該利用者が購入した商品又は該利用者が受けたサービスに対する料金の支払いについて、決済支援機関を介した決済を行うときに用いる移動情報端末であって、該第１の通貨単位と該第２の通貨単位との間における現在の為替レートに関する情報を記憶する情報記憶手段と、該情報記憶手段に記憶した該為替レートに関する情報と、該商品又は該サービスの料金に関する料金情報とに基づいて、該第２の通貨単位の該料金を該第１の通貨単位に換算した料金のデータを演算する料金データ演算手段と、該料金データ演算手段の演算結果に基づいて、該第１の通貨単位に換算した料金のデータを出力する料金出力手段と、通信回線を介して該決済支援機関の決済支援システムに該料金情報を送信する料金情報送信手段と、該店舗と該決済支援システムとの間の決済が完了したことを通知する決済通知情報を通信回線を介して該決済支援システムから受信する決済通知情報受信手段とを有することを特徴とするものである。
【手続補正１０】
【補正対象書類名】明細書
【補正対象項目名】００１２
【補正方法】変更
【補正の内容】
【００１２】
また、請求項１０の発明は、利用者が通常の生活で使用している第１の通貨単位とは異なる第２の通貨単位で商品の販売又はサービスの提供を行っている店舗において、該利用者が購入した商品又は該利用者が受けたサービスに対する料金の支払いについて、決済支援機関を介した決済を行うときに用いる移動情報端末であって、該商品又は該サービスの料金に関する料金情報を通信回線を介して該決済支援機関の決済支援システムに送信する料金情報送信手段と、該第１の通貨単位と該第２の通貨単位との間における現在の為替レートに関する情報に基づいて該第２の通貨単位の該料金を該第１の通貨単位に換算した料金のデータを、通信回線を介して該決済支援システムから受信する料金データ受信手段と、該第１の通貨単位に換算した料金のデータを出力する料金出力手段と、該店舗と該決済支援機関との間の決済が完了したことを通知する決済通知情報を通信回線を介して該決済支援システムから受信する決済通知情報受信手段とを有することを特徴とするものである。
また、請求項１１の発明は、請求項９又は１０の移動情報端末において、上記商品又は該サービスの料金に関する料金情報を上記店舗の料金支払受付装置から受信する料金情報受信手段を有することを特徴とするものである。
【手続補正１１】
【補正対象書類名】明細書
【補正対象項目名】００１４
【補正方法】変更
【補正の内容】
【００１４】
請求項１乃至５の決済方法、請求項６及び７の決済用情報処理システム、並びに請求項９及び１０の移動情報端末では、利用者が通常使用する第１の通貨単位とは異なる第２の通貨単位で商品の販売又はサービスの提供を行っている店舗において、商品を購入するとき又はサービスを受けるときに、店舗の料金支払受付装置から受けた商品又はサービスの料金に関する料金情報と、第１の通貨単位と第２の通貨単位との間における現在の為替レートに関する情報とに基づいて、移動情報端末又は決済支援機関で第１の通貨単位による料金のデータを演算し、利用者の移動情報端末から該料金を第１の通貨単位で出力する。これにより、利用者は上記店舗に支払うべき料金を、通常の生活で慣れ親しんだ第１の通貨単位で容易に把握することができる。
【手続補正１２】
【補正対象書類名】明細書
【補正対象項目名】００１７
【補正方法】変更
【補正の内容】
【００１７】
請求項８の発明は、請求項６又は７の決済用情報処理システムにおいて、上記情報記憶手段が、上記取引契約情報とともに、上記利用者の認証に用いる本人確認情報を記憶したものであり、上記情報受信手段が、上記料金情報とともに、上記移動情報端末から本人確認情報を受信するものであり、上記店舗決済処理手段が、上記決済処理に先立って、該情報記憶手段に記憶されている本人確認情報と、該情報受信手段で該移動情報端末から受信した本人確認情報とに基づいて、該利用者が本人であるか否かの認証を行うものであることを特徴とするものである。
請求項８の決済用情報処理システムでは、上記決済処理に先立って、情報記憶手段に記憶されている本人確認情報と情報受信手段で移動情報端末から受信した本人確認情報とに基づいて利用者が本人であるか否かの認証を行うことにより、本人になりすました利用者が移動情報端末を操作して上記決済処理が実行されるのを未然に回避することができる。上記移動情報端末の不正利用による被害をすることができる。
【手続補正１３】
【補正対象書類名】明細書
【補正対象項目名】００１８
【補正方法】変更
【補正の内容】
【００１８】
請求項６、７及び８の決済用情報処理システムに用いるコンピュータで所定のプログラムを実行することにより、決済用情報処理システムにおける前述の決済のための情報処理を実行することができる。
【手続補正１４】
【補正対象書類名】明細書
【補正対象項目名】００１９
【補正方法】変更
【補正の内容】
【００１９】
請求項９及び１０の移動情報端末に用いるコンピュータで所定のプログラムを実行することにより、移動情報端末における前述の決済のための情報処理を実行することができる。
【手続補正１５】
【補正対象書類名】明細書
【補正対象項目名】００２０
【補正方法】変更
【補正の内容】
【００２０】
なお、上記プログラムの受け渡しは、デジタル情報としてプログラムを記録したＦＤ，ＣＤ−ＲＯＭ等の記録媒体を用いて行なってもいいし、コンピュータネットワーク等の通信回線を用いて行なってもよい。
【手続補正１６】
【補正対象書類名】明細書
【補正対象項目名】００２１
【補正方法】変更
【補正の内容】
【００２１】
なお、利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行う決済方法において、該決済支援機関が、該利用者が所有する移動情報端末による通信を管理運営する機関であり、該移動情報端末において、該商品又は該サービスの料金に関する料金情報と、該第１の通貨単位と該第２の通貨単位との間における現在の為替レートに関する情報とに基づいて、該第１の通貨単位による該料金のデータを演算するステップと、該移動情報端末において、該料金を該第１の通貨単位で出力するステップと、該移動情報端末から通信回線を介して該決済支援機関に、決済依頼情報とともに該料金情報を送信するステップと、該決済支援機関において、該決済支援機関から該店舗への該商品又は該サービスの料金の支払いについて該第２の通貨単位での決済を処理するステップと、該決済支援機関から通信回線を介して該移動情報端末に、該店舗と該決済支援機関との間の決済が完了したことを通知する決済通知情報を送信するステップと、該店舗と該決済支援機関との間の決済が完了した後、該利用者との間で予め交わされた該取引契約情報と該移動情報端末から受信した該料金情報とに基づいて、該利用者から該決済支援機関への該商品又は該サービスの料金の支払いについて該第１の通貨単位での決済を処理するステップとを実行してもよい。
【手続補正１７】
【補正対象書類名】明細書
【補正対象項目名】００２２
【補正方法】変更
【補正の内容】
【００２２】
また、利用者が通常の生活で使用している第１の通貨単位とは異なる第２の通貨単位で商品の販売又はサービスの提供を行っている店舗において該利用者が商品を購入するとき又はサービスを受けるときに、該利用者が購入した商品又は該利用者が受けたサービスに対する料金の支払いについて、該利用者が所有している移動情報端末を用いて決済支援機関を介した決済を行う決済方法において、該決済支援機関が、該利用者が所有する移動情報端末による通信を管理運営する機関であり、該移動情報端末から通信回線を介して該決済支援機関に、該商品又は該サービスの料金に関する料金情報を送信するステップと、該決済支援機関において、該移動情報端末から受信した該料金情報と、該第１の通貨単位と該第２の通貨単位との間における現在の為替レートに関する情報とに基づいて、該第１の通貨単位による該料金のデータを演算するステップと、該決済支援機関から通信回線を介して該移動情報端末に、該第１の通貨単位による該料金のデータを送信するステップと、該移動情報端末において、該料金を該第１の通貨単位で出力するステップと、該移動情報端末から通信回線を介して該決済支援機関に、決済依頼情報を送信するステップと、該決済支援機関において、該決済支援機関から該店舗への該商品又は該サービスの料金の支払いについて該第２の通貨単位での決済を処理するステップと、該決済支援機関から通信回線を介して該移動情報端末に、該店舗と該決済支援機関との間の決済が完了したことを通知する決済通知情報を送信するステップと、該店舗と該決済支援機関との間の決済が完了した後、該利用者との間で予め交わされた該取引契約情報と該移動情報端末から受信した該料金情報とに基づいて、該利用者から該決済支援機関への該商品又は該サービスの料金の支払いについて該第１の通貨単位での決済を処理するステップとを実行してもよい。
【手続補正１８】
【補正対象書類名】明細書
【補正対象項目名】００２３
【補正方法】変更
【補正の内容】
【００２３】
これらの決済方法の場合は、利用者が通常使用する第１の通貨単位とは異なる第２の通貨単位で商品の販売又はサービスの提供を行っている店舗において、商品を購入するとき又はサービスを受けるときに、商品又はサービスの料金に関する料金情報と、第１の通貨単位と第２の通貨単位との間における現在の為替レートに関する情報とに基づいて、移動情報端末又は決済支援機関で第１の通貨単位による料金のデータを演算し、利用者の移動情報端末から該料金を第１の通貨単位で出力する。これにより、利用者は上記店舗に支払うべき料金を、通常の生活で慣れ親しんだ第１の通貨単位で容易に把握することができる。
【手続補正１９】
【補正対象書類名】明細書
【補正対象項目名】００２６
【補正方法】変更
【補正の内容】
【００２６】
また、これらの決済方法において、上記決済支援機関は、上記利用者及び上記店舗との間で予め交わされた取引契約情報を有するのが好ましい。
【手続補正２０】
【補正対象書類名】明細書
【補正対象項目名】００２７
【補正方法】変更
【補正の内容】
【００２７】
この場合は、上記決済支援機関が、利用者及び店舗との間で予め交わされた取引契約情報を有しているため、上記店舗及び利用者に対する決済処理を速やかに実行することができる。
【手続補正２１】
【補正対象書類名】明細書
【補正対象項目名】００７９
【補正方法】変更
【補正の内容】
【００７９】
【発明の効果】
請求項１乃至１１の発明によれば、利用者が通常の生活で使用する第１の通貨単位とは異なる第２の通貨単位を使用する店舗においても、商品やサービスに対する料金を通常の生活で慣れ親しんでいる第１の通貨単位で確認し且つ為替リスクを回避して支払うことができる。しかも、店舗にとってはクレジットカードで支払いを受けた場合に比して売り上げた料金をより速やかに且つ店舗が使用する第２の通貨単位で回収することが可能になるという優れた効果がある。
【手続補正２２】
【補正対象書類名】明細書
【補正対象項目名】００８０
【補正方法】変更
【補正の内容】
【００８０】
特に、請求項８の発明によれば、本人になりすました利用者が移動情報端末を操作して上記決済処理が実行されるのを未然に回避し、移動情報端末の不正利用による被害を防止することができるという優れた効果がある。
【手続補正２３】
【補正対象書類名】明細書
【補正対象項目名】００８１
【補正方法】削除
【補正の内容】